(57)【要約】      （修正有）【課題】サウナルーム内の空気温度を、裸体がエネルギーを受け取るのに適した温度となす、サウナルームの送風装置の提供。【解決手段】サウナルーム１０内にファン３０を設けて冷空気を取り込み、並びにヒーター３１により冷空気の温度を改変し、さらに暖かい空気を均一に空気均等室２１に送り込み、温暖な空気を適宜均一に分布させ、その後にサウナルームの四隅の進気ガイド溝２０に導入し、進気ガイド溝の、サウナルーム内部空間に連通する複数の風孔よりサウナルーム内に温暖な空気を送り込み、さらにサウナルームの上端の放出口１６より放出させ、こうしてサウナルーム内の空気温度を、裸体がエネルギーを受け取るのに適した温度となす、サウナルームの送風装置。【選択図】図１
0003135937.tif 000002
【実用新案登録請求の範囲】
【請求項１】
サウナルームの送風装置において、
サウナルームであって、サウナルームの底端に空気均等室が設けられ、且つ該空気均等室内に外部空気を吸入するファンと、吸入した空気を温めるヒーターが設けられ、吸入された空気はヒーターで温められた後、空気均等室の空間内に進入するものとされ、進気ガイド溝がサウナルーム内に設けられ、且つ底端の空気均等室と連通し、且つ該進気ガイド溝の内表面にサウナルームの内部に連通する風孔が設けられ、該サウナルームの上端に放出孔が設けられた、上記サウナルームを包含し、
該ファンにより冷空気を吸入し、該ヒーターで風の温度を変更して該空気均等室より該進気ガイド溝を経て該風孔よりサウナルーム内部に導入し、さらに該サウナルームの上端の該放出口より放出することを特徴とする、サウナルームの送風装置。
【請求項２】
請求項１記載のサウナルームの送風装置において、該風孔は複数が該進気ガイド溝の範囲内に設置されたことを特徴とする、サウナルームの送風装置。
【請求項３】
請求項１記載のサウナルームの送風装置において、該ファンとヒーターは複数或いは単数とされたことを特徴とする、サウナルームの送風装置。
【請求項４】
請求項３記載のサウナルームの送風装置において、該ファンとヒーターは単数とされて該サウナルームの設置場所の壁面に隣接しない前側面に設けられたことを特徴とする、サウナルームの送風装置。
【請求項５】
請求項３記載のサウナルームの送風装置において、該ファンとヒーターは複数とされて該サウナルームの設置場所の壁面に隣接しない前側面と後側面に設けられたことを特徴とする、サウナルームの送風装置。
【請求項６】
請求項３記載のサウナルームの送風装置において、該ファンとヒーターは複数とされて該サウナルームの設置場所の壁面に隣接しない左側面と右側面に設けられたことを特徴とする、サウナルームの送風装置。
【請求項７】
請求項３記載のサウナルームの送風装置において、該ファンとヒーターは複数とされて該サウナルームの設置場所の壁面に隣接しない前側面、左側面、後側面及び右側面に設けられたことを特徴とする、サウナルームの送風装置。
【請求項８】
請求項３記載のサウナルームの送風装置において、該ファンとヒーターは単数とされて該サウナルームの設置場所の壁面に隣接しない底面に設けられたことを特徴とする、サウナルームの送風装置。
【請求項９】
請求項３記載のサウナルームの送風装置において、該ファンとヒーターは複数とされて該サウナルームの設置場所の壁面に隣接しない底面両側に設けられたことを特徴とする、サウナルームの送風装置。
【考案の詳細な説明】
【技術分野】
【０００１】
本考案は一種のサウナルームの技術領域に属し、特に人が裸体でサウナルームに進入してエネルギーを受け取り、且つファン及びヒーターで温暖な空気をサウナルーム内に充満せしめ、並びに放出口より放出させる、サウナルームの送風装置に関する。
【背景技術】
【０００２】
サウナルームは、ボックス形式のサウナ設備であり、サウナルームの内部には一定の空間が形成され、人がサウナルーム内に進入してエネルギー放出体が放出するエネルギー或いは熱エネルギーを受け取り、さらに人の磁場或いは熱エネルギーを改変して人の身体を健康に保持しエネルギーと活力で満たすものである。
【０００３】
ただし、エネルギーを感じるために、人が裸体でサウナルームに進入するとき、その受け取るエネルギーの効果は最良であるが、熱エネルギーとエネルギーを受け取るときに、冷風に当たるのはもっとも嫌がられる。なぜなら熱エネルギーを受けているときには冷風に対して特に敏感であり、もしエネルギーを受け取ると同時に不注意から冷風にあたると風邪を引いてしまう。周知のサウナボックスはこの欠点を有し、すなわち、底側の一カ所に屋内と連通する孔が設けられ、それは常に正面下方の位置に設置され、上方には一様に放出口が設けられ、サウナルームが熱エネルギーで満たされるときに、冷風が下方の孔より進入し、内部の人に冷たさを感じさせ、サウナルームを使用するときは裸体であるため、風邪をひきやすい。
【考案の開示】
【考案が解決しようとする課題】
【０００４】
上述したように、周知のサウナルームは底側の一カ所に屋内と連通する孔が設けられ、その常設位置はサウナルームの正面下方とされ、サウナルームの上方部分に放出口が設けられ、サウナルーム内に熱エネルギーが充満され、冷風が孔より進入して内部の使用者に冷たさを感じさせ、サウナルーム使用時には裸体であるため、この冷風により風邪をひきやすいという問題を有している。
【０００５】
この問題を解決するため、本考案は一種のサウナルームの送風装置を提供し、それは、ファンを使用して冷空気を外部より吸入し、冷空気の吸入位置に少なくとも一つのヒーターを設けて冷空気の温度を上昇させ、さらに温暖な空気を空気均等室に送り、その温暖な空気を均一に分布せしめ、その後、サウナルームの四隅の進気ガイド溝に導入し、進気ガイド溝よりサウナルーム内部空間に連通する複数の風孔によりサウナルーム内に送り、温暖な空気をサウナルーム内に充満させ、さらにサウナルームの上端の放出口より放出し、こうしてサウナルーム内の空気温度を裸体がエネルギーを感じるのに適した温度となし、風邪をひくのを防止する。
【課題を解決するための手段】
【０００６】
請求項１の考案は、サウナルームの送風装置において、
サウナルームであって、サウナルームの底端に空気均等室が設けられ、且つ該空気均等室内に外部空気を吸入するファンと、吸入した空気を温めるヒーターが設けられ、吸入された空気はヒーターで温められた後、空気均等室の空間内に進入するものとされ、進気ガイド溝がサウナルーム内に設けられ、且つ底端の空気均等室と連通し、且つ該進気ガイド溝の内表面にサウナルームの内部に連通する風孔が設けられ、該サウナルームの上端に放出孔が設けられた、上記サウナルームを包含し、
該ファンにより冷空気を吸入し、該ヒーターで風の温度を変更して該空気均等室より該進気ガイド溝を経て該風孔よりサウナルーム内部に導入し、さらに該サウナルームの上端の該放出口より放出することを特徴とする、サウナルームの送風装置としている。
請求項２の考案は、請求項１記載のサウナルームの送風装置において、該風孔は複数が該進気ガイド溝の範囲内に設置されたことを特徴とする、サウナルームの送風装置としている。
請求項３の考案は、請求項１記載のサウナルームの送風装置において、該ファンとヒーターは複数或いは単数とされたことを特徴とする、サウナルームの送風装置としている。
請求項４の考案は、請求項３記載のサウナルームの送風装置において、該ファンとヒーターは単数とされて該サウナルームの設置場所の壁面に隣接しない前側面に設けられたことを特徴とする、サウナルームの送風装置としている。
請求項５の考案は、請求項３記載のサウナルームの送風装置において、該ファンとヒーターは複数とされて該サウナルームの設置場所の壁面に隣接しない前側面と後側面に設けられたことを特徴とする、サウナルームの送風装置としている。
請求項６の考案は、請求項３記載のサウナルームの送風装置において、該ファンとヒーターは複数とされて該サウナルームの設置場所の壁面に隣接しない左側面と右側面に設けられたことを特徴とする、サウナルームの送風装置としている。
請求項７の考案は、請求項３記載のサウナルームの送風装置において、該ファンとヒーターは複数とされて該サウナルームの設置場所の壁面に隣接しない前側面、左側面、後側面及び右側面に設けられたことを特徴とする、サウナルームの送風装置としている。
請求項８の考案は、請求項３記載のサウナルームの送風装置において、該ファンとヒーターは単数とされて該サウナルームの設置場所の壁面に隣接しない底面に設けられたことを特徴とする、サウナルームの送風装置としている。
請求項９の考案は、請求項３記載のサウナルームの送風装置において、該ファンとヒーターは複数とされて該サウナルームの設置場所の壁面に隣接しない底面両側に設けられたことを特徴とする、サウナルームの送風装置。
【考案の効果】
【０００７】
従来の技術と比べ、従来の技術は冷空気を昇温させることはできず、ゆえにエネルギー体の熱エネルギーを受けているときに、冷空気により風邪をひきやすい。本考案はファンを利用して冷空気を吸入し、並びにヒーターで空気温度を上げ、さらに温暖な空気を空気均等室に送り進気ガイド溝に導入し、サウナルーム内に充填し、さらに放出口より放出し、サウナルーム内の人が十分にエネルギー体が放出する熱量と磁場を受けられるようにし、最良の効果を得られるようにし、並びに風邪を防止する。
【考案を実施するための最良の形態】
【０００８】
図１は本考案の実施例の一つの立体図である。そのサウナルームはボックス型のサウナルーム１０を包含し、該サウナルーム１０の正面にドア１１が設けられ、ドア１１の前面にハンドル１２が設けられ、ドア１１の前面の適宜高さに覗き窓１３が設けられる。覗き窓１３の中央位置には透明面１４が設けられて、透明面１４によりサウナルームの内部或いは外部を見ることができる。
【０００９】
該サウナルーム１０の上端位置に内部１５に連通する放出口１６が設けられ、サウナルーム１０の四隅位置に密閉された進気ガイド溝２０と、密閉された空気均等室２１が設けられ、この密閉された空気均等室２１は四隅の密閉された進気ガイド溝２０と導通し、密閉された進気ガイド溝２０は内部１５に連通する風孔２０１を具え（図２）、該風孔２０１は適宜高さに設置され、風孔２０１の数量もまた複数設置可能である。空気均等室２１内の壁面に非隣接の位置にファン３０とヒーター３１が設けられ、該ファン３０とヒーター３１は複数或いは単数が設けられ、設置位置はサウナルームが設置される部屋の壁面に非隣接の側面或いは底面とされ、別にサウナルーム１０の内部１５と外部にそれぞれ一つの操作スイッチ３２が設けられてオンオフの操作に供される。
【００１０】
図２に示されるのは、本考案の断面図であり、サウナルーム１０の四つの周囲の壁面内に、複数のエネルギー体４０が設けられ、エネルギー体４０がエネルギーと熱エネルギーを釈放し、人体内の磁場と熱エネルギーを改変し、人体を健康にし、活力を与える。サウナルーム１０の四隅にはさらに進気ガイド溝２０が設けられ、該進気ガイド溝２０は温暖な空気を空気均等室２１（図１）より内部１５に導入する。該サウナルーム１０の空気均等室２１内のサウナルーム設置場所の壁面に隣接しない側面には単数のファン３０とヒーター３１が設けられ、サウナルーム１０にはドア１１が設けられて該ドア１１を開いて人が進出できる。該ファン３０は冷空気を吸入し、ヒーター３１がそれを加熱して温暖な空気とし、こうして風の温度を改変並びに制御する。
【００１１】
図３、４、５に示されるのは、ファン及びヒーターが側面に設けられた実施例の表示図である。そのうち、単数のファン３０及びヒーター３１がドア１１近くの空気均等室の前側面に実施されるほか（図２）、図３のように、複数のファン３０とヒーター３１が空気均等室前側面と後側面にそれぞれ設けられてもよく、また図４のように、複数のファン３０とヒーター３１がそれぞれ空気均等室の左側面と右側面に設置されてもよく、或いは図５のように４組のファン３０とヒーター３１が、空気均等室の前側面、右側面、左側面及び後側面に設置されてもよく、その単数或いは複数のファン３０により冷空気を吸入し、ヒーター３１で風の温度を改変し、空気均等室で均一とした後に、進気ガイド溝及び風孔を通してサウナルーム内に導入し、上端の放出口より排出する。
【００１２】
図６、７、８に示されるように、ファン３０とヒーター３１は壁面に隣接しないようにサウナルーム１０の空気均等室２１の底部に設けられ、該空気均等室２１は進気ガイド溝２０に導通し、進気ガイド溝２０は風孔２０１に連通してサウナルームの内部１５に連通し、ゆえに温暖な空気はこの管道を通り内部１５に進入し、使用者が冷空気に当たって風邪をひくのを防止する。そのうち、図６、７では、空気均等室２１の底部の中央位置には単数のファン３０とヒーター３１が設けられ、図８では、空気均等室２１の底部範囲内に、複数のファン３０とヒーター３１が設けられ、ファン３０が冷空気を吸入し、ヒーター３１が風の温度を改変する。
【００１３】
本考案の効果は以下のとおりである。
１．本考案は一種のサウナルームの送風装置の新規な構造形態を提供し、それにより使用者が裸体でサウナルーム内部でエネルギーと熱エネルギーを受け取るときに、冷空気に当たるのを防止し、温暖な空気を送り込みエネルギー受容効果を向上し、風邪の予防と十分なエネルギー受容の効果を達成する。
２．このサウナルームの送風装置の特殊な改良構造設計により、その主要な構造において、ファンが冷空気を吸入し、並びにヒーターで風の温度を変更し、その後に空気均等室より進気ガイド溝を経て風孔よりサウナルーム内部に温風を導入し、さらに放出口より放出し、こうしてサウナルーム内の裸体の使用者が風邪を引くのを防止し、サウナルームの使用効果を向上する。
【図面の簡単な説明】
【００１４】
【図１】本考案のサウナルームの送風装置の立体図である。
【図２】本考案のサウナルームの送風装置の横向き断面図である。
【図３】本考案の側面設置の別の実施例の断面図である。
【図４】本考案の側面設置のさらに別の実施例の断面図である。
【図５】本考案の側面設置のまた別の実施例の断面図である。
【図６】本考案の縦方向の局部断面図である。
【図７】本考案の底面設置の別の実施例の断面図である。
【図８】本考案の底面設置のさらに別の実施例の断面図である。
【符号の説明】
【００１５】
１０  サウナルーム          １１  ドア
１２  ハンドル              １３  覗き窓
１４  透明面                １５  内部
１６  放出口                ２０  進気ガイド溝
２０１  風孔                ２１  空気均等室
３０  ファン                ３１  ヒーター
３２  操作スイッチ          ４０  エネルギー体
【図１】
0003135937.tif 000003
【図２】
0003135937.tif 000004
【図３】
0003135937.tif 000005
【図４】
0003135937.tif 000006
【図５】
0003135937.tif 000007
【図６】
0003135937.tif 000008
【図７】
0003135937.tif 000009
【図８】
0003135937.tif 000010